(57)【要約】【課題】切換弁の切換操作などを必要とすることなく被験者に薬液を注入できるとともに被験者の血圧を検出できる薬液注入装置を提供する。【解決手段】薬液が薬液注入チューブ１０７により被験者に注入されるときは、チューブ遮断機構１２２により高圧の薬液が血圧検出チューブ１０８に流入しないので、切換弁の切換操作などを必要とすることなく薬液の高圧が血圧検出機構１０４に作用することを防止できる。もしも、高圧な薬液がチューブ遮断機構１２２を突破した場合でも、その圧力の薬液は注入操作機構１２４を突破して生食注入チューブ１０９から生食加圧容器１０２に逆流するので、薬液の高圧が血圧検出機構１０４に作用せず、構造的に耐圧が低い血圧検出機構１０４の破壊を防止することができる。【選択図】  図１
2004357985.tif 000002
【特許請求の範囲】
【請求項１】
液体として血液が流動している人体の血管に液体として少なくとも薬液を注入する薬液注入装置であって、
前記薬液を前記血管に注入する薬液ポンプ機構と、
前記生理食塩水が通常の血圧より高圧の所定圧力に加圧されて事前に収容されている生食加圧容器と、
前記血管を流動する血液の圧力を検出する血圧検出機構と、
末端が前記薬液ポンプ機構に連結されていて先端が前記血管に連結される薬液注入チューブと、
この薬液注入チューブに挿入されていて前記薬液の移動を前記薬液ポンプ機構から前記血管への方向に規制する注入規制機構と、
末端が前記血圧検出機構に連結されていて先端が前記薬液注入チューブの前記注入規制機構より先端側の位置に連結されている血圧検出チューブと、
この血圧検出チューブに挿入されていて通常の血圧より高圧で前記生食加圧容器の加圧より低圧の所定圧力が作用すると前記液体の移動を遮断するチューブ遮断機構と、
末端が前記生食加圧容器に連結されていて先端が前記血圧検出チューブの前記チューブ遮断機構より末端側の位置に連結されている生食注入チューブと、
この生食注入チューブを手動操作により開閉自在に閉止しているが前記生食加圧容器の加圧より高圧で前記血圧検出機構の耐圧より低圧の所定圧力が作用すると前記液体の移動を許容する注入操作機構と、
を有している薬液注入装置。
【請求項２】
液体として血液が流動している人体の血管に液体として少なくとも薬液を注入する薬液注入装置であって、
前記薬液が事前に収容されている大容量の薬液収容容器と、
前記薬液を前記薬液収容容器から吸入して前記血管に注入する小容量の薬液ポンプ機構と、
前記生理食塩水が通常の血圧より高圧の所定圧力に加圧されて事前に収容されている生食加圧容器と、
前記血管を流動する血液の圧力を検出する血圧検出機構と、
末端が前記薬液収容容器に連結されていて先端が前記薬液ポンプ機構に連結されている薬液吸入チューブと、
この薬液吸入チューブに挿入されていて前記薬液の移動を前記薬液収容容器から前記薬液ポンプ機構への方向に規制する吸入規制機構と、
末端が前記薬液ポンプ機構に連結されていて先端が前記血管に連結される薬液注入チューブと、
この薬液注入チューブに挿入されていて前記薬液の移動を前記薬液ポンプ機構から前記血管への方向に規制する注入規制機構と、
末端が前記血圧検出機構に連結されていて先端が前記薬液注入チューブの前記注入規制機構より先端側の位置に連結されている血圧検出チューブと、
この血圧検出チューブに挿入されていて通常の血圧より高圧で前記生食加圧容器の加圧より低圧の所定圧力が作用すると前記液体の移動を遮断するチューブ遮断機構と、
末端が前記生食加圧容器に連結されていて先端が前記血圧検出チューブの前記チューブ遮断機構より末端側の位置に連結されている生食注入チューブと、
この生食注入チューブを手動操作により開閉自在に閉止しているが前記生食加圧容器の加圧より高圧で前記血圧検出機構の耐圧より低圧の所定圧力が作用すると前記液体の移動を許容する注入操作機構と、
を有している薬液注入装置。
【請求項３】
前記薬液ポンプ機構がシリンダ部材にピストン部材がスライド自在に挿入されている薬液シリンジからなる請求項１または２に記載の薬液注入装置。
【請求項４】
前記液体から混入した空気を除去する空気除去機構が前記薬液注入チューブに切換弁を介して連結されている請求項１ないし３の何れか一項に記載の薬液注入装置。
【請求項５】
前記液体から混入した空気を除去する空気除去機構が前記血圧検出チューブに切換弁を介して連結されている請求項１ないし４の何れか一項に記載の薬液注入装置。
【請求項６】
請求項１に記載の薬液注入装置のためのチューブユニットであって、
末端が前記薬液ポンプ機構に連結されていて先端が前記血管に連結される薬液注入チューブと、
この薬液注入チューブに挿入されていて前記薬液の移動を前記薬液ポンプ機構から前記血管への方向に規制する注入規制機構と、
末端が前記血圧検出機構に連結されていて先端が前記薬液注入チューブの前記注入規制機構より先端側の位置に連結されている血圧検出チューブと、
この血圧検出チューブに挿入されていて通常の血圧より高圧で前記生食加圧容器の加圧より低圧の所定圧力が作用すると前記液体の移動を遮断するチューブ遮断機構と、
末端が前記生食加圧容器に連結されていて先端が前記血圧検出チューブの前記チューブ遮断機構より末端側の位置に連結されている生食注入チューブと、
この生食注入チューブを手動操作により開閉自在に閉止しているが前記生食加圧容器の加圧より高圧で前記血圧検出機構の耐圧より低圧の所定圧力が作用すると前記液体の移動を許容する注入操作機構と、
を有しているチューブユニット。
【請求項７】
請求項２に記載の薬液注入装置のためのチューブユニットであって、
末端が前記薬液収容容器に連結されていて先端が前記薬液ポンプ機構に連結されている薬液吸入チューブと、
この薬液吸入チューブに挿入されていて前記薬液の移動を前記薬液収容容器から前記薬液ポンプ機構への方向に規制する吸入規制機構と、
末端が前記薬液ポンプ機構に連結されていて先端が前記血管に連結される薬液注入チューブと、
この薬液注入チューブに挿入されていて前記薬液の移動を前記薬液ポンプ機構から前記血管への方向に規制する注入規制機構と、
末端が前記血圧検出機構に連結されていて先端が前記薬液注入チューブの前記注入規制機構より先端側の位置に連結されている血圧検出チューブと、
この血圧検出チューブに挿入されていて通常の血圧より高圧で前記生食加圧容器の加圧より低圧の所定圧力が作用すると前記液体の移動を遮断するチューブ遮断機構と、
末端が前記生食加圧容器に連結されていて先端が前記血圧検出チューブの前記チューブ遮断機構より末端側の位置に連結されている生食注入チューブと、
この生食注入チューブを手動操作により開閉自在に閉止しているが前記生食加圧容器の加圧より高圧で前記血圧検出機構の耐圧より低圧の所定圧力が作用すると前記液体の移動を許容する注入操作機構と、
を有しているチューブユニット。
【発明の詳細な説明】
【０００１】
【発明の属する技術分野】
本発明は、被験者の血管に薬液を注入する薬液注入装置に関し、特に、薬液を注入する血管の血圧をリアルタイムに検出する薬液注入装置に関する。
【０００２】
【従来の技術】
現在、被験者の透視画像を撮像する透視撮像装置としては、ＣＴ（Ｃｏｍｐｕｔｅｄ  Ｔｏｍｏｇｒａｐｈｙ）スキャナ、ＭＲＩ（Ｍａｇｎｅｔｉｃ  Ｒｅｓｏｎａｎｃｅ  Ｉｍａｇｉｎｇ）装置、ＰＥＴ（Ｐｏｓｉｔｒｏｎ  Ｅｍｉｓｓｉｏｎ  Ｔｏｍｏｇｒａｐｈｙ）装置、超音波診断装置、アンギオ装置、ＭＲＡ（ＭＲ  Ａｎｇｉｏ）装置、等がある。
【０００３】
上述のような装置を使用するとき、被験者に造影剤や生理食塩水などの薬液を注入することがあり、この注入を自動的に実行する薬液注入装置も実用化されている。この薬液注入装置は注入ヘッドを有しており、この注入ヘッドに薬液シリンジが着脱自在に装着される。薬液シリンジは、薬液が充填されるシリンダ部材を有しており、このシリンダ部材にピストン部材がスライド自在に挿入されている。
【０００４】
薬液シリンジには、最初から薬液が充填されている製品もあるが、作業者が所望の薬液を補充する製品もある。このような薬液シリンジを薬液注入装置で使用する場合、例えば、薬液として造影剤が充填されている造影タンクに薬液シリンジを造影吸入チューブで連結し、その薬液シリンジを注入ヘッドに装着する。注入ヘッドは薬液シリンジのシリンダ部材とピストン部材とを別個に保持し、そのピストン部材をシリンダ部材に対してスライダ機構により後退させる。
【０００５】
これで造影タンクから薬液シリンジに薬液が補充されると、薬液シリンジから造影タンクと造影吸入チューブとを取り外し、その薬液シリンジを被験者に造影注入チューブで連結する。この状態で注入ヘッドがスライダ機構によりピストン部材をシリンダ部材に対して前進させると、薬液シリンジから被験者に薬液が注入される。
【０００６】
しかし、従来の薬液注入装置では、上述のように薬液シリンジに造影タンクから薬液を吸入するときは、作業者が薬液シリンジに造影吸入チューブで造影タンクを連結する必要があり、薬液シリンジから被験者に薬液を注入するときは、作業者が薬液シリンジから造影吸入チューブを取り外して造影注入チューブを連結する必要がある。このため、作業者が煩雑な作業を実行する必要があり、作業者により造影吸入チューブや造影注入チューブが汚染される懸念がある。
【０００７】
上述の課題を解決するため、例えば、造影タンクに連結した造影吸入チューブと、被験者に連結した造影注入チューブと、を切換弁で薬液シリンジに連結した薬液注入装置もある。このような薬液注入装置では、切換弁の手動操作により造影注入チューブを遮断して造影吸入チューブを開放した状態で、造影タンクから薬液シリンジに薬液を吸入する。
【０００８】
そして、切換弁の手動操作により造影吸入チューブを遮断して造影注入チューブを開放した状態で、薬液シリンジから被験者に薬液を注入する。このような薬液注入装置では、小容量の薬液シリンジに大容量の造影タンクから薬液を補給できるので、造影注入チューブを交換するだけで複数の被験者に薬液を注入することが可能である。
【０００９】
さらに、上述の造影注入チューブなどにＹコネクタと血圧検出チューブなどで血圧検出機構であるトランスデューサを連結し、上述のように造影剤を注入する血管の血圧をトランスデューサでリアルタイムに検出できるようにした薬液注入装置もある。
【００１０】
ただし、トランスデューサは構造的に耐圧が低いので、注入される造影剤の高圧が作用すると破壊が発生する。このため、トランスデューサを血圧検出チューブで造影注入チューブに連結した薬液注入装置では、血圧検出チューブと造影注入チューブとを切換弁で連結している。
【００１１】
このような薬液注入装置では、造影剤を注入するときは血圧検出チューブを造影注入チューブから遮断しておき、血圧を検出するときのみ血圧検出チューブを造影注入チューブに連結することにより、造影剤を高圧に注入できるようにしながらもトランスデューサの破壊を防止している。
【００１２】
なお、上述のような薬液注入装置は、例えば、本出願人などにより提案されて出願されている（例えば、特許文献１〜５参照）。
【００１３】
【特許文献１】
特開平１１−３４２２０９号
【特許文献２】
特開平１１−０９４１０３号
【特許文献３】
特開平０７−１００２１２号
【特許文献４】
特開平０６−０３０９０５号
【特許文献５】
特開２００１−１０４４９２号
【００１４】
【発明が解決しようとする課題】
上述のトランスデューサを追加した薬液注入装置では、造影剤を被験者に高圧で注入することができ、被験者の血圧もトランスデューサで検出することができる。しかし、造影剤の高圧からトランスデューサを保護するため、前述のように造影剤を注入するときと血圧を検出するときで切換弁を操作する必要があり、その作業が煩雑である。
【００１５】
特に、前述の薬液注入装置では、造影タンクから薬液シリンジに造影剤を吸入するときと、薬液シリンジから被験者に造影剤を注入するときも、切換弁を操作する必要がある。つまり、各種の状態ごとに複数の切換弁を操作する必要があるので、その作業が極めて煩雑で誤操作が発生する可能性が高い。
【００１６】
本発明は上述のような課題に鑑みてなされたものであり、切換弁の切換操作を必要とすることなく被験者に薬液を高圧に注入できるとともに血圧検出機構の破壊も防止できる薬液注入装置を提供することを目的とする。
【００１７】
【課題を解決するための手段】
本発明の第１の薬液注入装置は、液体として血液が流動している人体の血管に液体として少なくとも薬液を注入する薬液注入装置であって、薬液ポンプ機構、血圧検出機構、生食加圧容器、吸入規制機構、薬液注入チューブ、注入規制機構、血圧検出チューブ、チューブ遮断機構、生食注入チューブ、注入操作機構、を有している。
【００１８】
薬液ポンプ機構は、薬液を血管に注入し、生食加圧容器は、生理食塩水が通常の血圧より高圧の所定圧力に加圧されて事前に収容されており、血圧検出機構は、血管を流動する血液の圧力を検出する。薬液注入チューブは、末端が薬液ポンプ機構に連結されていて先端が血管に連結され、注入規制機構は、薬液注入チューブに挿入されていて薬液の移動を薬液ポンプ機構から血管への方向に規制する。血圧検出チューブは、末端が血圧検出機構に連結されていて先端が薬液注入チューブの注入規制機構より先端側の位置に連結されており、チューブ遮断機構は、血圧検出チューブに挿入されていて通常の血圧より高圧で生食加圧容器の加圧より低圧の所定圧力が作用すると液体の移動を遮断する。生食注入チューブは、末端が生食加圧容器に連結されていて先端が血圧検出チューブのチューブ遮断機構より末端側の位置に連結されており、注入操作機構は、生食注入チューブを手動操作により開閉自在に閉止しているが、生食加圧容器の加圧より高圧で血圧検出機構の耐圧より低圧の所定圧力が作用すると液体の移動を許容する。
【００１９】
従って、本発明の薬液注入装置では、薬液注入チューブによる薬液の移動が注入規制機構により薬液ポンプ機構から血管への方向に規制されているので、切換弁の切換操作などを必要とすることなく薬液は薬液ポンプ機構により被験者の血管に注入される。このとき、注入される薬液の圧力は生食加圧容器の加圧より高圧となり、その圧力ではチューブ遮断機構が血圧検出チューブを遮断するので、高圧の薬液が血圧検出チューブに流入しない。
【００２０】
また、生理食塩水は生食加圧容器により加圧されており、その圧力では生食注入チューブは注入操作機構により閉止されているので、生理食塩水は通常は生食注入チューブから血圧検出チューブなどに流出しない。注入操作機構が手動操作により開放されると、生食加圧容器により加圧されている生理食塩水が生食注入チューブから血圧検出チューブに流出する。
【００２１】
ただし、その圧力では血圧検出チューブは先端近傍がチューブ遮断機構により遮断されているので、生理食塩水は薬液注入チューブに流出することなく生食注入チューブと血圧検出チューブとを充填する。このように血圧検出チューブが生理食塩水で充填されるとともに薬液注入チューブが薬液で充填されると、前述のように薬液が注入されるときは、その高圧はチューブ遮断機構により遮断されて血圧検出機構に作用せず、薬液が注入されないときは、血管を流動する血液の圧力はチューブ遮断機構に遮断されることなく血圧検出機構に検出される。
【００２２】
このため、切換弁の切換操作などを必要とすることなく、薬液注入チューブによる薬液の高圧の注入と血圧検出機構による血圧の検出とが実行される。さらに、もしも高圧な薬液がチューブ遮断機構を突破した場合でも、その圧力の薬液は注入操作機構を突破して生食注入チューブから生食加圧容器に逆流するので、薬液の高圧が血圧検出機構に作用しない。
【００２３】
本発明の第２の薬液注入装置は、薬液収容容器、薬液吸入チューブ、吸入規制機構、も有している。薬液収容容器は、大容量の薬液が事前に収容されており、薬液ポンプ機構は、小容量の薬液を薬液収容容器から吸入して血管に注入する。薬液吸入チューブは、末端が薬液収容容器に連結されていて先端が薬液ポンプ機構に連結されており、吸入規制機構は、薬液吸入チューブに挿入されていて薬液の移動を薬液収容容器から薬液ポンプ機構への方向に規制する。
【００２４】
従って、本発明の薬液注入装置では、薬液吸入チューブによる薬液の移動が吸入規制機構により薬液収容容器から薬液ポンプ機構への方向に規制されており、薬液注入チューブによる薬液の移動が注入規制機構により薬液ポンプ機構から血管への方向に規制されているので、切換弁の切換操作などを必要とすることなく薬液は薬液ポンプ機構により薬液収容容器から吸入されて被験者の血管に注入される。
【００２５】
なお、本発明で云う各種の構成要素は、個々に独立した存在である必要はなく、複数の構成要素が１個の部材として形成されていること、ある構成要素が他の構成要素の一部であること、ある構成要素の一部と他の構成要素の一部とが重複していること、等も可能である。
【００２６】
【発明の実施の形態】
［実施の形態の構成］
本発明の薬液注入装置の実施の形態を図面を参照して以下に説明する。本形態の薬液注入装置１００は、薬液収容容器である造影タンク１０１、生食加圧容器である生食バック１０２、薬液ポンプ機構である薬液シリンジ１０３、血圧検出機構であるトランスデューサ１０４、薬液吸入チューブである造影吸入チューブ１０６、薬液注入チューブである造影注入チューブ１０７、血圧検出チューブ１０８、生食注入チューブ１０９、等を主要部分として有している。
【００２７】
造影タンク１０１は、液体である薬液として大容量の造影剤が事前に収容されており、生食バック１０２は、液体である生理食塩水が通常の血圧である“９０〜１４０（ｍｍＨｇ）”より高圧の“３００（ｍｍＨｇ）”に加圧されて事前に収容されている。薬液シリンジ１０３は、小容量のシリンダ部材１１１にピストン部材１１２がスライド自在に挿入されており、トランスデューサ１０４は、被験者の血管（図示せず）を流動する血液の圧力を検出する。
【００２８】
造影吸入チューブ１０６は、末端が造影タンク１０１に連結されており、先端が薬液シリンジ１０３に連結されている。ただし、造影吸入チューブ１０６には吸入規制機構である一方弁１１４が挿入されており、この一方弁１１４により造影剤の移動が造影タンク１０１から薬液シリンジ１０３への方向に規制される。
【００２９】
造影注入チューブ１０７は、末端が薬液シリンジ１０３に連結されており、先端が血管に連結されるカテーテル１１５からなる。ただし、造影注入チューブ１０７にも注入規制機構である一方弁１１６が末端近傍に挿入されており、この一方弁１１６により造影剤の移動が薬液シリンジ１０３から血管への方向に規制される。
【００３０】
このため、薬液シリンジ１０３のシリンダ部材１１１からピストン部材１１２が引き出されると、造影タンク１０１から薬液シリンジ１０３に造影剤が負圧で吸入され、シリンダ部材１１１にピストン部材１１２が押し込まれると、薬液シリンジ１０３から血管に造影剤が正圧で注入される。
【００３１】
血圧検出チューブ１０８は、先端が造影注入チューブ１０７の一方弁１１６より先端側に連結されており、末端がトランスデューサ１０４に連結されている。また、血圧検出チューブ１０８は、末端近傍に３方活栓１１９で脱気シリンジ１２１が連結されており、先端近傍にチューブ遮断機構であるスイッチングバルブ１２２が挿入されている。
【００３２】
３方活栓１１９は、血圧検出チューブ１０８を連通させた状態と、血圧検出チューブ１０８の末端側を閉止して先端側に脱気シリンジ１２１を連通させた状態と、を切り換える。脱気シリンジ１２１は、例えば、血圧検出チューブ１０８に充填された生理食塩水を吸入することにより、血圧検出チューブ１０８に混入した気泡を排除する。
【００３３】
スイッチングバルブ１２２は、所定圧力が作用すると液体の移動を遮断し、その所定圧力より低圧の液体は移動を許容する。その所定圧力は、通常の血圧より高圧で生食バック１０２の加圧より低圧に設定されており、例えば、“２５０（ｍｍＨｇ）”などとされている。
【００３４】
生食注入チューブ１０９は、末端が生食バック１０２に連結されており、先端が血圧検出チューブ１０８のスイッチングバルブ１２２より末端側にＹコネクタ１２３で連結されている。この生食注入チューブ１０９には、注入操作機構であるフラッシングデバイス１２４が挿入されており、このフラッシングデバイス１２４は、生食注入チューブ１０９を手動操作により開閉自在に閉止しているが、生食バック１０２の加圧より高圧の所定圧力が作用すると液体の移動を許容する。
【００３５】
［実施の形態の動作］
上述のような構成において、本形態の薬液注入装置１００は、例えば、アンギオ装置やＭＲＡ装置などの透視撮像装置で撮像される被験者の血管に造影剤を注入し、同時に造影剤が注入される血管の血圧をリアルタイムに検出することに利用される。
【００３６】
なお、以下に薬液注入装置１００の使用手順を具体的に説明するが、その手順は一例であって実際の現場では様々な手順が可能である。まず、作業者は造影注入チューブ１０７のカテーテル１１５を被験者に連結していない状態で、造影注入チューブ１０６に造影タンク１０１を連結するとともに生食注入チューブ１０９に生食バック１０２を連結する。
【００３７】
このような状態で薬液シリンジ１０３のピストン部材１１２を後退させると、その負圧により造影タンク１０１から造影注入チューブ１０６により薬液シリンジ１０３のシリンダ部材１１１まで造影剤が吸入される。つぎに、薬液シリンジ１０３のピストン部材１１２を前進させると、薬液シリンジ１０３のシリンダ部材１１１から造影注入チューブ１０７に造影剤が充填される。
【００３８】
また、生食バック１０２では生理食塩水が加圧されているので、フラッシングデバイス１２４を手動操作で開放すると同時に脱気シリンジ１２１を手動操作で吸引させると、生食バック１０２から生食注入チューブ１０９と血圧検出チューブ１０８とに生理食塩水が充填される。
【００３９】
これで薬液注入装置１００の全チューブ１０６〜１０９の内部から空気が排除された状態となるので、その造影注入チューブ１０７のカテーテル１１５を被験者の血管に連結する。このような状態で薬液シリンジ１０３のピストン部材１１２を後退させると造影タンク１０１から造影注入チューブ１０６によりシリンダ部材１１１まで造影剤が吸入され、ピストン部材１１２を前進させるとシリンダ部材１１１から造影注入チューブ１０７により被験者の血管に造影剤が注入される。
【００４０】
また、カテーテル１１５からトランスデューサ１０４までの経路も造影剤と生理食塩水とで充填されているので、造影剤を注入していないときには血管を流動する血液の圧力がトランスデューサ１０４まで伝達され、このトランスデューサ１０４により血圧が直接的に検出される。
【００４１】
［実施の形態の効果］
本形態の薬液注入装置１００では、上述のように被験者の血管に造影剤を注入することができ、被験者の血圧を検出することもできる。ただし、血圧を検出するトランスデューサ１０４の耐圧は低いのに、薬液シリンジ１０３により造影剤は高圧に注入される。
【００４２】
しかし、本形態の薬液注入装置１００では、血圧検出チューブ１０８に挿入されているスイッチングバルブ１２２と生食注入チューブ１０９に挿入されているフラッシングデバイス１２４により、造影剤の高圧がトランスデューサ１０４に作用することが防止されている。
【００４３】
より具体的には、上述のように薬液シリンジ１０３から造影注入チューブ１０７により被験者の血管に造影剤が注入されているとき、その造影剤の高圧がスイッチングバルブ１２２に作用する。しかし、このスイッチングバルブ１２２は、前述のように通常の血圧より高圧で生食バック１０２の加圧より低圧の所定圧力が作用すると液体の流動を遮断するので、造影剤の高圧がトランスデューサ１０４に作用して破壊されることがない。
【００４４】
それでいて、造影剤が注入されないときは、スイッチングバルブ１２２は血圧の伝導を許容するので、トランスデューサ１０４により血圧を検出することができる。このため、本形態の薬液注入装置１００では、切換弁の切換操作を必要とすることなく、造影剤の高圧注入とトランスデューサ１０４の破壊防止とを両立することができる。
【００４５】
しかも、もしも高圧の造影剤がスイッチングバルブ１２２を突破しても、フラッシングデバイス１２４は、生食バック１０２の加圧より高圧でトランスデューサ１０４の耐圧より低圧の所定圧力が作用すると液体の移動を許容する。このため、スイッチングバルブ１２２を突破した造影剤の高圧は生食注入チューブ１０９によりフラッシングデバイス１２４から生食バック１０２に流出することになり、トランスデューサ１０４の破壊を確実に防止することができる。
【００４６】
しかも、フラッシングデバイス１２４は、生食バック１０２から血圧検出チューブ１０８に生理食塩水を充填する作業を操作するために利用され、スイッチングバルブ１２２は、血圧検出チューブ１０８に充填される生理食塩水が造影注入チューブ１０７に流出することを防止するためにも利用されるので、全体に簡単な構造で無駄なくトランスデューサ１０４の破壊を防止することができる。
【００４７】
［実施の形態の変形例］
本発明は上記形態に限定されるものではなく、その要旨を逸脱しない範囲で各種の変形を許容する。例えば、上記形態では造影吸入チューブ１０６と造影注入チューブ１０７とに一方弁１１４，１１６が１個ずつ挿入されていることを例示したが、このような一方弁１１４，１１６を二重三重に挿入することも可能であり、図２に示すように、造影吸入チューブ１０６や造影注入チューブ１０７を電動で遮断する電動遮断機構２０１を追加することも可能である。
【００４８】
また、上記形態では薬液シリンジ１０３から注入する造影剤で造影注入チューブ１０７を脱気することを例示したが、造影注入チューブ１０７に３方活栓２０３で脱気シリンジ２０４を連結し、この脱気シリンジ２０４も造影注入チューブ１０７の脱気に利用することも可能である。
【００４９】
さらに、上記形態では造影注入チューブ１０７と血圧検出チューブ１０８とが直接に連結されていることを例示したが、これらを３方活栓２０６で連結することも可能である。また、上記形態では説明を簡単とするために造影注入チューブ１０７の先端部分が単純にカテーテル１１５からなることを例示したが、実際の薬液注入装置では、カテーテル１１５の末端部分にガイドワイヤの挿入機構などが追加されていることが可能である（図示せず）。
【００５０】
さらに、上記形態では薬液注入装置１００を１個の装置として説明したが、当然ながら造影タンク１０１や生食バック１０２などは現場で装着および交換される。このため、本形態の薬液注入装置１００を実際に製品とするときは、造影タンク１０１、生食バック１０２、薬液シリンジ１０３、トランスデューサ１０４、カテーテル１１５、等を取り外し、造影吸入チューブ１０６、造影注入チューブ１０７、血圧検出チューブ１０８、生食注入チューブ１０９、等からなるチューブユニット（図示せず）とすることが好適である。
【００５１】
また、上記形態では薬液注入装置１００が造影タンク１０１と造影吸入チューブ１０６も有しており、薬液シリンジ１０３で造影タンク１０１から吸入した造影剤を造影注入チューブ１０７で被験者に注入することを例示したが、造影タンク１０１と造影吸入チューブ１０６とを有しておらず、薬液シリンジ１０３が事前に収容されている造影剤のみを造影注入チューブ１０７で被験者に注入する薬液注入装置（図示せず）なども実施可能である。
【００５２】
なお、このような薬液注入装置に対応したチューブユニットは、当然ながら造影吸入チューブ１０６を有することなく、造影注入チューブ１０７、血圧検出チューブ１０８、生食注入チューブ１０９、等からなることが好適である（図示せず）。
【００５３】
さらに、上記形態ではアンギオ装置やＭＲＡ装置などの透視撮像装置で撮像される被験者に薬液注入装置１００で薬液を注入することを例示したが、このような透視撮像装置としては、ＣＴスキャナ、ＭＲＩ装置、ＰＥＴ装置、超音波診断装置、等も可能である。
【００５４】
【発明の効果】
本発明の薬液注入装置では、薬液が薬液注入チューブにより被験者に注入されるときは、チューブ遮断機構により高圧の薬液が血圧検出チューブに流入しないので、切換弁の切換操作を必要とすることなく薬液の高圧が血圧検出機構に作用することを防止でき、もしも、高圧な薬液がチューブ遮断機構を突破した場合でも、その圧力の薬液は注入操作機構を突破して生食注入チューブから生食加圧容器に逆流するので、薬液の高圧が血圧検出機構に作用せず、構造的に耐圧が低い血圧検出機構の破壊を防止することができる。
【図面の簡単な説明】
【図１】本発明の実施の形態の薬液注入装置の全体構造を示す模式図である。
【図２】薬液注入装置の一変形例の全体構造を示す模式図である。
【符号の説明】
１００    薬液注入装置
１０１    薬液収容容器である造影タンク
１０２    生食加圧容器である生食バック
１０３    薬液ポンプ機構である薬液シリンジ
１０４    血圧検出機構であるトランスデューサ
１０６    薬液吸入チューブである造影吸入チューブ
１０７    薬液注入チューブである造影注入チューブ
１０８    血圧検出チューブ
１０９    生食注入チューブ
１１１    シリンダ部材
１１２    ピストン部材
１１４    吸入規制機構である一方弁
１１６    注入規制機構である一方弁
１２２    チューブ遮断機構であるスイッチングバルブ
１２４    注入操作機構であるフラッシングデバイス
【図１】
2004357985.tif 000003
【図２】
2004357985.tif 000004